(57)【要約】  【課題】  郵便物や宅配物等に記されている受取人の住所、氏名、電話番号などの個人情報の漏洩を防止するための包装用媒体を提供する。なお、包装用媒体には様々な形状、厚み、材質等が想定されることや、製造時のコスト等をも考慮する。  【解決手段】本発明は、個人情報を記載する領域を有する包装用媒体であって、前記領域は、その周辺がミシン目状切り込みで囲まれている包装用媒体を提案する。すなわち、本発明に係る包装用媒体は、個人情報を記載する領域がミシン目によって包装用媒体から容易に離脱させることができる包装用媒体である。なお、包装用媒体の形状、厚み、材質等は問わない。【選択図】            図１
2006347620.tif 000002
【特許請求の範囲】
【請求項１】
個人情報を記載する領域を有する包装用媒体であって、
前記領域は、その周辺がミシン目状切り込みで囲まれている包装用媒体。
【請求項２】
前記領域は、個人情報として配送のための住所を記載するための領域である請求項１に記載の包装用媒体。
【請求項３】
前記領域は、個人情報として配送のための宛名を記載するための領域である請求項１又は２に記載の包装用媒体。
【請求項４】
前記領域は、略長方形であり、いずれか一の頂点領域が指でつまめるようなつまみ領域を有している請求項１から３のいずれか一に記載の包装用媒体。
【請求項５】
前記ミシン目切り込みは、ジッパー形式切り込みである請求項１から４のいずれか一に記載の包装用媒体。
【請求項６】
封筒として利用する請求項１から５のいずれか一に記載の包装用媒体。
【請求項７】
小包包装として利用する請求項１から５のいずれか一に記載の包装用媒体。
【請求項８】
材質が紙、ビニール、布、木材、金属箔のいずれか一又は二以上の組み合わせである請求項１から７のいずれか一に記載の包装用媒体。
【発明の詳細な説明】
【技術分野】
【０００１】
本発明は、個人情報保護を目的とした個人情報の離脱機構付包装用媒体に関する。
【背景技術】
【０００２】
郵便物や宅配物等には届け先を示す受取人の住所、氏名、電話番号などの個人情報が記されている。ところが、郵便物や宅配物等の封筒や包装紙等の包装用媒体そのものには、これら個人情報を保護するための配慮はなされておらず、受取人は、郵便物や宅配物等を受け取って内容物を取り出した後、包装用媒体を廃棄する際に、個人情報が記されている部分をマジックで塗りつぶす、宛名ラベル等を剥がして細かくちぎる、包装用媒体を破る、等することにより、自身の個人情報が外部に漏洩しないようにする工夫を行っている。しかしながら、特に郵便物や宅配物等の量が多い場合には、逐一そのようなことを行うことはかなりの労力を要することであった。また、２００５年４月より個人情報保護法が施行され、より一層、個人情報に対する関心も高まっている。このような問題に対して、例えば、特許文献１においては、情報流出防止用パンチの発明が開示されている。この発明は、ダイレクトメールの宛名部分等に一度に複数の孔を開けることにより第三者が読み取れないようにするものである。また、非特許文献１には、プライバシー保護ラベルに関する記述がある。このプライバシー保護ラベルは宛名等を記して郵便物に貼り付けられるシールになっているが、二重構造のシールになっており、郵便物を廃棄する際にラベルの切れ目をつまんで剥がすとラベルに記された個人情報が断片的に分断され個人情報が簡単に読み取れない仕組みになっている。
【特許文献１】特開２００４−２５３６１号公報
【非特許文献１】ヒサゴ株式会社、"プライバシー保護ラベル"、［online］、ヒサゴ株式会社、［平成１７年６月１６日検索］、インターネット<URL：http://www.hisago.co.jp/privacy_p/label.htm>
【発明の開示】
【発明が解決しようとする課題】
【０００３】
しかしながら、特許文献１に係る発明においては、基本的にはパンチで挟むことが可能な細長い封筒などを使用対象としており、例えば、角型の幅広い封筒や段ボール箱等、大きな包装用媒体や厚みのある包装用媒体に使用することは困難である。また、内容物が入ったままではパンチで挟むことができない場合もあり、そのような場合には使用することができない。また、非特許文献１に係る製品においては、ラベルが二重構造のシールになっており、このような特殊なラベルは通常のラベルよりも製造コストが高くなる。また、包装用媒体以外にラベルを別途用いる必要があり、利用者にはラベルを使用するためのコストがかかる。
【課題を解決するための手段】
【０００４】
本発明は、この課題を解決するために、個人情報を記載する領域を有する包装用媒体であって、前記領域は、その周辺がミシン目状切り込みで囲まれている包装用媒体を提案する。すなわち、本発明に係る包装用媒体は、個人情報を記載する領域がミシン目によって包装用媒体から容易に離脱させることができる包装用媒体である。また、前記領域は、個人情報として配送のための住所を記載するための領域であってもよいし、個人情報として配送のための宛名を記載するための領域であってもよい。また、前記ミシン目状切り込みは、略長方形であり、いずれか一の頂点領域が指でつまめるようなつまみ領域を有していてもよい。前記領域を包装用媒体から離脱させる際の作業性がより向上するからである。また、前記ミシン目切り込みは、ジッパー形式切り込みであってもよい。包装用媒体が段ボールなど厚みのあるような媒体であり、前記領域にかかる力が大きくなるような場合であっても、ミシン目の途中で前記領域が破けてしまうような状況を避けることができ、前記領域の全てを包装用媒体からスムーズに離脱させることができる効果があるからである。また、包装用媒体は、封筒として利用する包装用媒体であってもよいし、小包包装として利用する包装用媒体であってもよい。また、包装用媒体の材質は、紙、ビニール、布、木材、金属箔のいずれか一又は二以上の組み合わせであってもよい。様々な材質の包装用媒体に適用可能である。
【発明の効果】
【０００５】
本発明に係る包装用媒体によれば、個人情報を記載する領域を有する包装用媒体であって、前記領域は、その周辺がミシン目状切り込みで囲まれているので、個人情報を記載する領域がミシン目によって包装用媒体から容易に離脱させることができる。よって、包装用媒体の受取人は内容物を取り出す等して包装用媒体を廃棄する際に、前記領域を指で引っ張る等して包装用媒体から前記領域を離脱させることで包装用媒体には個人情報が残らないため、そのまま捨てる等しても個人情報の漏洩を心配する必要がない。さらに、内容物が入ったままであっても前記領域を包装用媒体から離脱させることもできるので、包装用媒体を廃棄する際の手間をより一層省くこともできる。また、受取人は包装用媒体を破る等せずとも個人情報を記載する領域のみを破る等すればよいので労力を軽減することができる。また、包装用媒体以外に、特許文献１やハサミ、カッター等のような器具や、非特許文献１のような部材を別途用意する必要がない。また、前記領域に個人情報が記載されればいいので、非特許文献１にようにラベルへの記述のみならず、手書き、プリンター等による印字、タックシールやラベル等の使用など、個人情報の記述方法には制限がない。また、前記ミシン目切り込みがジッパー形式切り込みであれば、包装用媒体の厚みや材質等に関わらず、ミシン目の途中で前記領域が破けてしまうような状況を避けることができ、前記領域の全てを包装用媒体からスムーズに離脱させることができる。また、本発明を実現するためには、個人情報を記載する領域の周辺がミシン目状切り込みで囲まれるように、包装用媒体を製造する際の型を変更するのみでよい。よって、型を変更する初期コストのみを要し、包装用媒体を製造する際の製造コストは従来の包装用媒体とほぼ同等であるので、実現可能性も非常に高いと思われる。
【発明を実施するための最良の形態】
【０００６】
本発明を実施するための最良の形態について図面を用いて詳細に説明する。なお、本発明は以下説明する実施の形態に何ら限定されるものではなく、その要旨を逸脱しない範囲において、種々なる態様で実施しうる。
（実施形態）
【０００７】
（実施形態：概要）
【０００８】
本実施形態は、個人情報を記載する領域を有する包装用媒体であって、前記領域は、その周辺がミシン目状切り込みで囲まれている包装用媒体に関する。
【０００９】
（実施形態：構成）
【００１０】
図１に、本実施形態に係る包装用媒体の構成例を示す。包装用媒体（０１００）は、「個人情報を記載する領域」（０１０１）を有する。また、前記領域（０１０１）は、その周辺がミシン目状切り込みで囲まれていることを特徴とする。通常、包装用媒体（０１００）によって内容物が配送される際には、図１（ａ）の状態になっており、前記領域（０１０１）には受取人の住所、氏名等が記載されている。また、受取人が内容物を取り出す等して包装用媒体（０１００）を廃棄する際に、個人情報が記載されている前記領域（０１０１）は、ミシン目状切り込みで囲まれているので、図１（ｂ）のように受取人が前記領域（０１０１）を指で引っ張る等して包装用媒体（０１００）から前記領域（０１０１）を離脱させることができる。（図１（ｂ）における斜線部は包装用媒体の裏面を示す。）前記領域（０１０１）を離脱させれば、包装用媒体（０１００）には個人情報が残らないためそのまま捨てる等しても個人情報の漏洩を心配する必要がない。また、内容物が入ったままであっても前記領域（０１０１）を包装用媒体（０１００）から離脱させることもできるので、包装用媒体を廃棄する際の手間をより一層省くこともできる。
【００１１】
「包装用媒体」（０１００）は、郵便物や宅配物において内容物を包むための媒体全般を意味する。例えば、封筒、小包包装、段ボール箱、等が想定される。包装用媒体の形状は、特定の形状に限定されない。例えば、長方形、正方形、丸形、三角形、その他の多角形等、様々な形状であることが想定される。また、包装用媒体の厚みも、特定の厚さに限定されない。例えば、通常の紙封筒や紙はがきのような薄いものであってもよいし、段ボールのような厚いものであってもよい。また、包装用媒体の大きさも、特定の大きさに限定されない。また、包装用媒体の材質は、特定のものに限定されないが、例えば、紙、ビニール、布、木材、金属箔のいずれか一又は二以上の組み合わせであってもよい。さらに、包装用媒体の材質は、ポリプロピレン（ＰＰ）、ポリエチレン（ＰＥ）、ポリスチレン（ＰＳ）、延伸ポリプロピレン（ＯＰＰ）などの異種プラスチック等のいずれか一又は二以上の組み合わせであってもよいし、前記の材質との組み合わせであってもよい。「個人情報」とは、個人に関係する情報全般を意味し、例えば、住所、氏名、電話番号、メールアドレス、クレジットカード番号、キャッシュカード番号、銀行や郵便局の口座番号、所属団体における会員番号、等が該当する。よって、前記領域は（０１０１）は、個人情報として配送のための住所を記載するための領域であってもよい。また、前記領域は（０１０１）は、個人情報として配送のための宛名を記載するための領域であってもよい。
【００１２】
また、前記領域（０１０１）は、略長方形であり、いずれか一の頂点領域が指でつまめるようなつまみ領域を有していてもよい。「略長方形」とは、おおよそ長方形であることを意味する。例えば、前記領域（０１０１）の形は、図１（ａ）、（ｂ）のように角が丸味を帯びている形になっていてもよいし、頂点を有する形であってもよい。また、縦の辺と横の辺の長さは異なっていてもよいし、同じであってもよい。すなわち、横の辺の長さが同じである場合には略正方形となるが、このような場合をも含む。「頂点領域」とは、頂点付近を指し、図１（ａ）における破線で囲んだ領域０１０２ａ、０１０２ｂ、０１０２ｃ、０１０２ｄが該当する。すなわち、「（いずれか一の頂点領域が指でつまめるような）つまみ領域」とは、図１（ａ）における領域０１０２ａのような領域を指す。「指でつまめるような」とは、ミシン目が他の目よりも大きく切り込んであってつまみやすくなっていたり、図１の領域０１０２ａのように辺から突出した形になっていたりすることを意味する。図２に、つまみ領域の具体例を示す。図２は、つまみ領域付近を拡大した図である。（ａ）、（ｂ）はつまみ領域を真上から見た図であり、（ａ’）、（ｂ’）は、つまみ領域を斜めから見た図であり、斜線部は包装用媒体の裏面が見えていることを示す。つまみ領域の形は、例えば、（ａ）のように丸い形をしていてもよいし、（ｂ）のように角張った形をしていてもよい。また、図２において実線部分は連続して切れていることを示す。このようになっていると、つまみ領域は（ａ’）、（ｂ’）に示すように包装用媒体から浮き上がりやすくなるため、指でつまみやすくなる。
【００１３】
また、前記ミシン目状切り込みは、ジッパー形式切り込みであってもよい。「ジッパー形式」とは、図３（ａ）のような切り込みである。図３（ｂ）は、図３（ａ）の破線で囲まれた部分の拡大図である。辺０３０１は、破線矢印のような方向に加わる力を受け止めることによって、ミシン目の途中で前記領域が破けてしまうような状況を避けることができる。（この仕組みに関しては、一般的によく知られている技術である。）また、前記領域が略長方形であった場合のジッパー形式の例を図４に示す。（ただし、切り込みは実際よりも大きく図示している。）前記つまみ領域が領域０４０２であり、斜線矢印の方向に領域０４０１を引っ張り包装用媒体から分離させていく。この時、辺０４０３ａ、辺０４０３ｄにおける切り込みは領域０４０１の内側に切り込んだ形であり、辺０４０３ｂ、０４０３ｃにおける切り込みは領域０４０１の外側に切り込んだ形になる。このように、前記ミシン目状切り込みが、ジッパー形式切り込みであることにより、例えば、包装用媒体が段ボールなど厚みのあるような媒体であり、前記領域にかかる力が大きくなるような場合であっても、ミシン目の途中で前記領域が破けてしまうような状況を避けることができ、前記領域の全てを包装用媒体からスムーズに離脱させることができる。
【００１４】
（実施形態：効果）
【００１５】
本実施形態に係る包装用媒体は、個人情報を記載する領域を有する包装用媒体であって、前記領域は、その周辺がミシン目状切り込みで囲まれていることを特徴とする。これにより、個人情報を記載する領域がミシン目によって包装用媒体から容易に離脱させることができる。よって、包装用媒体の受取人は内容物を取り出す等して包装用媒体を廃棄する際に、前記領域を指で引っ張る等して包装用媒体から前記領域を離脱させることで包装用媒体には個人情報が残らないため、そのまま捨てる等しても個人情報の漏洩を心配する必要がない。さらに、内容物が入ったままであっても前記領域を包装用媒体から離脱させることもできるので、包装用媒体を廃棄する際の手間をより一層省くこともできる。また、前記ミシン目切り込みがジッパー形式切り込みであれば、包装用媒体の厚みや材質等に関わらず、ミシン目の途中で前記領域が破けてしまうような状況を避けることができ、前記領域の全てを包装用媒体からスムーズに離脱させることができる。
【図面の簡単な説明】
【００１６】
【図１】本実施形態に係る包装用媒体の構成例
【図２】つまみ領域の具体例
【図３】ジッパー形式を説明する図
【図４】前記領域が略長方形であった場合のジッパー形式の例
【符号の説明】
【００１７】
０１００    包装用媒体
０１０１    個人情報を記載する領域
０１０２ａ  頂点領域
０１０２ｂ  頂点領域
０１０２ｃ  頂点領域
０１０２ｄ  頂点領域
【図１】
2006347620.tif 000003
【図２】
2006347620.tif 000004
【図３】
2006347620.tif 000005
【図４】
2006347620.tif 000006